(57)【要約】      （修正有）【課題】本発明は、真空ポンプ構造を提供する。【解決手段】真空ポンプ構造は、モーター１と、２つのポンプ本体２Ａ，２Ｂとを備え、前記２つのポンプ本体２Ａ，２Ｂは、それぞれ、モーター１に接続され、且つモーター１によって駆動される。前記ポンプ本体２Ａ，２Ｂは、それぞれポンプ室を備え、且つ真空管路と接続するための接続ポート２１Ａ，２１Ｂが設けられている。持ち手４では、持ち手４の両端が２つのポンプ本体２Ａ，２Ｂのそれぞれと接続されることによって、真空ポンプを運ぶことができる。持ち手４の内部には、２つのポンプ本体２Ａ，２Ｂのポンプ室を接続する連通管路４１が設けられている。作業効率を向上させるために、２つのポンプ本体２Ａ，２Ｂが同時に整合して２つの動作を実行するモードで動作できる。【選択図】図３
2020063739.tif 000002
【特許請求の範囲】
【請求項１】
真空ポンプ構造であって、モーターと、２つのポンプ本体と、持ち手とを備え、
前記２つのポンプ本体は、それぞれ、前記モーターと接続され、且つ前記モーターによって駆動され、各ポンプ本体は、ポンプ室を設け、且つ前記ポンプ室は、真空管路と接続するための接続ポートを設け、
前記持ち手は、ポンプを運ぶために、両端がそれぞれ２つのポンプ本体に接続され、前記持ち手の内部に、連通管路が設けられ、前記連通管路が２つのポンプ本体のポンプ室と接続される、ことを特徴とする真空ポンプ構造。
【請求項２】
少なくとも１つのポンプ本体の接続ポートは、真空度を測定するための圧力計を設ける、ことを特徴とする請求項１に記載の真空ポンプ構造。
【請求項３】
各ポンプ本体の接続ポートは、逆止弁を設け、且つ前記接続ポートは、空気が逆止弁を通過する前の箇所に、真空度を測定するための圧力計を設ける、ことを特徴とする請求項１に記載の真空ポンプ構造。
【発明の詳細な説明】
【技術分野】
【０００１】
本発明は、真空ポンプに関し、特に２つのポンプ本体を有する真空ポンプに関する。
【背景技術】
【０００２】
エアコン、冷蔵庫などの一般的な電気機器は、冷媒が配管内に循環して冷媒の蒸発および凝縮のプロセスを介して冷却効果を達成するシステムを採用している。冷媒の循環中にパイプまたは管路内に空気が残ることによる損傷を避けるために、真空ポンプを利用してシステムの管路内の空気を排除する、いわゆる真空動作を実行する必要がある。
【０００３】
一般的な真空ポンプは、一つのモーターおよび一つのポンプ本体を有し、前記ポンプ本体は、真空管路を介して、真空排気される空間に接続され、前記モーターの駆動により、前記ポンプ本体が真空排気を行う。しかしながら、一つのポンプ本体では、真空効率は不十分であり、時間が掛かりすぎるという欠点があるため、真空ポンプに関する技術分野では、２つのポンプ本体を有する真空ポンプを開発した。開発された真空ポンプは、モーターにより、２つのポンプ本体と連通し、各ポンプ本体は、真空管路と接続するための接続ポートを有する。使用中に、図５に示すように、各ポンプ本体７Ａ，７Ｂは、真空管路７１Ａ，７１Ｂを介して、異なる真空空間８Ａ，８Ｂにそれぞれ接続され、前記モーター９の駆動で、各ポンプ本体７Ａ，７Ｂが同時に接続された空間８Ａ，８Ｂに対して真空排気を行うことができる。このように、２つのポンプ本体７Ａ，７Ｂを利用して、２つの真空動作を同時に行うことができる。
【０００４】
上記従来装置の他の使用状態は、図６に示すように、２つのポンプ本体７Ａ，７Ｂの接続ポートがＴ字管路７２で接続され、前記Ｔ字管路７２は真空排気される空間８Ｃに接続される。前記モーター９の駆動で、前記真空空間８Ｃは、２つにポンプ本体７Ａ，７Ｂの同時真空作用を受け、２つのポンプ本体７Ａ，７Ｂが同時に一つの真空動作を行うことができる。
【０００５】
しかし、図６に示す使用状態では、各ポンプ本体７Ａ，７Ｂの接続ポートは、Ｔ字管路７２によって使用され、他の真空管路と接続できなくなってしまうための、前記Ｔ字管路７２を介して一つの真空空間８Ｃしか真空動作を実行することができず、すなわち、一つの真空動作のみを実行することができ、「２つのポンプ本体７Ａ，７Ｂを利用して、２つの真空動作を同時に実行する」という動作モードを実行することができない。
【先行技術文献】
【特許文献】
【０００６】
【特許文献１】中国特許第１０８２６２０７８号公開公報
【特許文献２】台湾実用新案登録第５３７０９７号
【特許文献３】米国特許第９７７１９３１号
【特許文献４】実用新案登録第３２１７１２４号
【発明の概要】
【発明が解決しようとする課題】
【０００７】
本発明の主な目的は、真空ポンプ構造を提供することである。前記真空ポンプ構造では、２つのポンプ本体を連通する連通管路が内設され、各ポンプ本体の接続ポートを空けられるので、異なる真空空間との接続を実現できる。これによって、各真空空間は、２つのポンプ本体の複合真空作用を受けることができ、真空効率を向上させることができる。
【０００８】
本発明のもう一つ目的は、真空ポンプの持ち手に、２つのポンプ本体を連通する管路が埋設される、全体として追加の構造が必要とされない。
【課題を解決するための手段】
【０００９】
上述した目的を達成するために、本発明は、真空ポンプ構造であって、モーターと、２つのポンプ本体と、持ち手とを備え、前記２つのポンプ本体は、それぞれ、前記モーターと接続され、且つ前記モーターによって駆動され、各ポンプ本体は、ポンプ室を設け、且つ前記ポンプ室は、真空管路と接続するための接続ポートを設け、前記持ち手は、ポンプを運ぶために、両端がそれぞれ２つのポンプ本体に接続され、前記持ち手の内部に、連通管路が設けられ、前記連通管路が２つのポンプ本体のポンプ室と接続される、ことを特徴とする真空ポンプ構造を提供する。
【図面の簡単な説明】
【００１０】
【図１】本発明の立体図である。
【図２】本発明のポンプ本体の断面図である。
【図３】本発明の持ち手部分の断面図である。
【図４】本発明が使用する状態を示す図である。
【図５】従来の構造の第１使用状態を示す図である。
【図６】従来の構造の第２使用状態を示す図である。
【発明を実施するための形態】
【００１１】
図１は、本発明の真空ポンプ構造を示している。前記真空ポンプ構造は、モーター１と、２つのポンプ本体２Ａ，２Ｂを備え、前記モーター１がベース３の上に設けられ、２つのポンプ本体２Ａ，２Ｂは、それぞれ、前記モーター１の両側に設けられ、且つ前記モーター１と接続されている。ポンプ本体２Ａ，２Ｂのそれぞれは、ポンプ室（図示せず）を備え、且つ前記ポンプ室は、真空管路と接続する接続ポート２１Ａ，２１Ｂが設けられる。ポンプ本体２Ａ，２Ｂは、前記モーター１の駆動により回転されることで、真空動作（ポンピングアクション）を実行することができる。
【００１２】
図２に示すように、各接続ポート２１Ａ，２１Ｂは、前記ポンプ室２２に隣接する箇所に、逆止弁２３が設けられ、空気が前記真空管路により前記ポンプ室２２内に引き込まれる際、前記逆止弁２３を通過すると、空気が遮断され、逆流することができず、真空動作が円滑に実行される。前記接続ポート２１Ａ，２１Ｂは、ガスが前記逆止弁２３を通過する前の箇所に、真空度を測定するための圧力計２４が設けられており、真空度を正確に測定することができる。本実施形態では、前記接続ポート２１Ａ，２１Ｂは、ガスが前記逆止弁２３を通過する前の箇所に、分岐管路２５が設けられ、前記圧力計２４が前記分岐管路２５に設けられている。
【００１３】
持ち手４は、両端が２つのポンプ本体２Ａ，２Ｂと接続するように固定されることで、使用者に装置を運ぶ目的を達成することができる。上述した持ち手４の内部は、図３に示すように、連通管路４１が設けられ、前記連通管路４１により、２つのポンプ本体２Ａ，２Ｂのポンプ室を接続し、ポンプ室の同士を連通させる。これによって、前記モーター１が２つのポンプ本体２Ａ，２Ｂが回転して真空動作を実行するように駆動し、２つのポンプ本体２Ａ，２Ｂは、前記連通管路４１を介して、動作を整合して実行し、真空効率を向上させることができる。つまり、連通された真空の空間に対して、２つのポンプ本体２Ａ，２Ｂが前記連通管路４１によって連通された構造を形成し、前記２つの真空空間は、同時に２つポンプ本体２Ａ，２Ｂの作動により真空されることで、真空効率を向上させることができる。
【００１４】
さらに、本発明は、２つの真空動作の同時実行での使用により適している。図４に示すように、真空しようとする２つの真空空間５Ａ，５Ｂの場合、本発明の一方のポンプ本体２Ａの接続ポート２１Ａが、真空管路６Ａによって、真空空間５Ａと接続され、他方のポンプ本体２Ｂの接続ポート２１Ｂが、真空管路６Ｂによって、真空空間５Ｂと接続される。前記モーター１が２つのポンプ本体２Ａ，２Ｂの動作を起動すると、２つの真空空間５Ａ，５Ｂが同時に真空される。ただし、２つのポンプ本体２Ａ，２Ｂは、前記連通管路４１によって、連通されており、ポンプ本体２Ａは、真空空間５Ａとの連通に加えて、前記連通管路４１を介して真空空間５Ｂとも連通されている。また、ポンプ本体２Ｂが真空空間５Ｂと連通されるとともに、前記連通管路４１を介して真空空間５Ａとも連通されているので、２つのポンプ本体２Ａ，２Ｂは、真空空間５Ａ，５Ｂごとの真空動作に寄与し、真空空間５Ａ，５Ｂのいずれも、２つのポンプ本体２Ａ，２Ｂによる真空効果を受け、「２つのポンプ本体２Ａ，２Ｂを利用して、同時に２つの動作を整合して実行する」という動作モードを実行することができ、真空空間５Ａ，５Ｂの真空効率を改善することができる。
【００１５】
本発明のもう一つの利点は、２つのポンプ本体２Ａ，２Ｂを連通する連通管路４１が持ち手４内部に埋設されることによって、追加の構造を増設しなくでも２つのポンプ本体２Ａ，２Ｂを連通する目的を達成できるので、コンパクトな構造を得ることができる。
【符号の説明】
【００１６】
モーター  １
ポンプ本体  ２Ａ，２Ｂ
接続ポート２１Ａ，２１Ｂ
ポンプ室  ２２
逆止弁  ２３
圧力計  ２４
分岐管路  ２５
ベース  ３
持ち手  ４
連通管路  ４１
真空空間  ５Ａ，５Ｂ
真空管路  ６Ａ，６Ｂ
ポンプ本体  ７Ａ，７Ｂ
真空管路  ７１Ａ，７１Ｂ
Ｔ字管路  ７２
真空空間  ８Ａ，８Ｂ，８Ｃ
モーター  ９
【図１】
2020063739.tif 000003
【図２】
2020063739.tif 000004
【図３】
2020063739.tif 000005
【図４】
2020063739.tif 000006
【図５】
2020063739.tif 000007
【図６】
2020063739.tif 000008
【外国語明細書】
2020063739000001.pdf